(57)【要約】【課題】大量の塵芥を一度に投入する場合であっても対応可能な塵芥案内板を備えた塵芥収集車の提供。【解決手段】車体上に搭載された塵芥収容箱４と、この塵芥収容箱４の後端に連接された塵芥投入箱５と、この塵芥投入箱５の塵芥投入口５ａの下部に回動可能に支持された第１塵芥案内板３１と、この第１塵芥案内板３１の後端部に回動可能に支持された第２塵芥案内板３２とを備え、第１塵芥案内板３１は、第２塵芥案内板３２を上面に回動させて折り畳んだ状態で塵芥投入口５ａ側へ回動させて折り畳み可能とした。【選択図】図２
2010083594.tif 000002
【特許請求の範囲】
【請求項１】
車体上に搭載された塵芥収容箱と、
この塵芥収容箱の後端に連接された塵芥投入箱と、
この塵芥投入箱の塵芥投入口の下部に回動可能に支持された第１塵芥案内板と、
この第１塵芥案内板の後端部に回動可能に支持された第２塵芥案内板とを備え、
前記第１塵芥案内板は、前記第２塵芥案内板を上面に回動させて折り畳んだ状態で前記塵芥投入口側へ回動させて折り畳み可能とした塵芥収集車。
【請求項２】
前記第１塵芥案内板を支持するダンパを備えた請求項１記載の塵芥収集車。
【請求項３】
前記第１塵芥案内板の傾斜角度をそれぞれ異なる角度に保持する第１および第２のストッパを備えた請求項１または２に記載の塵芥収集車。
【請求項４】
前記第１および第２のストッパは、前記第１塵芥案内板の下方に固定された支持部の上面と側方との間で交互に回動可能に支持されたものである請求項３記載の塵芥収集車。
【請求項５】
前記塵芥投入口に投入された塵芥を前記塵芥収容箱内に積み込む塵芥積込装置と、前記第１塵芥案内板の後端部に前記塵芥積込装置の動作を緊急停止させるためのタッチセンサとを備えた請求項１から４のいずれかに記載の塵芥収集車。
【発明の詳細な説明】
【技術分野】
【０００１】
本発明は、塵芥投入口に塵芥案内板を備えた塵芥収集車に関する。
【背景技術】
【０００２】
塵芥収集車において、塵芥収集箱の投入口に塵芥案内板を備えたものが知られている。例えば、特許文献１に記載の塵芥収集車は、塵芥収集箱のテールゲートの塵芥投入口の下端部を開閉する塵芥案内板を備えている。塵芥案内板は塵芥投入口の下端部に回動自在に支持されており、この塵芥案内板を開くとテールゲートの塵芥投入口の開口面積が拡がるとともに、この塵芥案内板がリンク機構に支持されてほぼ水平に延びるので、この塵芥案内板上に塵芥を一時的に載置することができ、塵芥収集箱の投入口内への塵芥投入作業を効率良く行うことが可能となるものである。
【０００３】
【特許文献１】特開２００１−１３０７０６号公報
【発明の開示】
【発明が解決しようとする課題】
【０００４】
ところが、特許文献１に記載の塵芥案内板は開かれることによって水平に延びたとしても塵芥収集箱の後方への突出幅が小さく、廃棄プラスチックなどの嵩のある塵芥をショベルローダなどで投入する際には不十分である。
【０００５】
そこで、本発明においては、大量の塵芥を一度に投入する場合であっても対応可能な塵芥案内板を備えた塵芥収集車を提供することを目的とする。
【課題を解決するための手段】
【０００６】
本発明の塵芥収集車は、車体上に搭載された塵芥収容箱と、この塵芥収容箱の後端に連接された塵芥投入箱と、この塵芥投入箱の塵芥投入口の下部に回動可能に支持された第１塵芥案内板と、この第１塵芥案内板の後端部に回動可能に支持された第２塵芥案内板とを備え、第１塵芥案内板は、第２塵芥案内板を上面に回動させて折り畳んだ状態で塵芥投入口側へ回動させて折り畳み可能としたものである。
【０００７】
本発明の塵芥収集車では、塵芥収集の際は、塵芥投入口の下部に支持された第１塵芥案内板を後方へ回動させて塵芥投入口を開き、次いでこの第１塵芥案内板の後端部に支持された第２塵芥案内板を後方へ回動させると、第１塵芥案内板と第２塵芥案内板とが連続した大きな塵芥案内板を構成する。これにより、大量の塵芥を一度に投入する場合であっても、この第１および第２塵芥案内板により構成される大きな塵芥案内板上に一時的に載置することができる。
【０００８】
一方、塵芥収集後は、第２塵芥案内板を第１塵芥案内板の上面に回動させて折り畳んだ状態とし、次いで第１塵芥案内板を塵芥投入口側へ回動させて折り畳む。これにより、塵芥投入口の下部が閉じられ、塵芥収集車は走行可能となる。
【０００９】
また、本発明の塵芥収集車は、第１塵芥案内板を支持するダンパを備えたものであることが望ましい。これにより、第２塵芥案内板とともに第１塵芥案内板を回動させる際に、操作力を軽減するとともに、回動時の衝撃を軽減することができる。
【００１０】
また、本発明の塵芥収集車は、第１塵芥案内板の傾斜角度をそれぞれ異なる角度に保持する第１および第２のストッパを備えたものであることが望ましい。これにより、状況に応じて第１のストッパまたは第２のストッパを使用し、第１塵芥案内板の傾斜角度を保持して、この保持した傾斜角度で第１塵芥案内板上に塵芥を一時的に載置することが可能となる。
【００１１】
ここで、第１および第２のストッパは、第１塵芥案内板の下方に固定された支持部の上面と側方との間で交互に回動可能に支持されたものであることが望ましい。これにより、第１および第２のストッパを支持部の上面に交互に回動させるだけで、第１塵芥案内板の傾斜角度を第１または第２のストッパにより切り替えることが可能となる。
【００１２】
また、本発明の塵芥収集車は、塵芥投入口に投入された塵芥を塵芥収容箱内に積み込む塵芥積込装置と、第１塵芥案内板の後端部に塵芥積込装置の動作を緊急停止させるためのタッチセンサとを備えたものであることが望ましい。これにより、第１塵芥案内板後端部のタッチセンサに触れることで、塵芥積込装置の動作を緊急停止させることが可能となる。
【発明の効果】
【００１３】
（１）車体上に搭載された塵芥収容箱と、この塵芥収容箱の後端に連接された塵芥投入箱と、この塵芥投入箱の塵芥投入口の下部に回動可能に支持された第１塵芥案内板と、この第１塵芥案内板の後端部に回動可能に支持された第２塵芥案内板とを備え、第１塵芥案内板は、第２塵芥案内板を上面に回動させて折り畳んだ状態で塵芥投入口側へ回動させて折り畳み可能としたことにより、廃棄プラスチックなどの嵩のある塵芥を大量にショベルローダなどで一度に投入する場合であっても、第１および第２塵芥案内板により構成される大きな塵芥案内板上に一時的に載置し、塵芥投入口への塵芥投入作業を効率良く行うことが可能となる。一方、塵芥収集後は、第２塵芥案内板を第１塵芥案内板の上面に回動させて折り畳んだ状態とし、次いで第１塵芥案内板を塵芥投入口側へ回動させて折り畳むことにより、第１および第２塵芥案内板は塵芥投入口の低い位置で収納することができるので、この第１および第２塵芥案内板の収納作業は容易である。
【００１４】
（２）第１塵芥案内板を支持するダンパを備えたことにより、第２塵芥案内板とともに第１塵芥案内板を回動させる際に、操作力を軽減するとともに、回動時の衝撃を軽減することができる。
【００１５】
（３）第１塵芥案内板の傾斜角度をそれぞれ異なる角度に保持する第１および第２のストッパを備えたものであることにより、状況に応じて第１のストッパまたは第２のストッパを使用し、第１塵芥案内板の傾斜角度を保持して、この保持した傾斜角度で第１塵芥案内板上に塵芥を一時的に載置することが可能となる。
【００１６】
（４）第１および第２のストッパが、第１塵芥案内板の下方に固定された支持部の上面と側方との間で交互に回動可能に支持されたものであることにより、第１および第２のストッパを支持部の上面に交互に回動させるだけで、第１塵芥案内板の傾斜角度を第１または第２のストッパにより容易に切り替えることが可能となる。
【００１７】
（５）塵芥投入口に投入された塵芥を塵芥収容箱内に積み込む塵芥積込装置と、第２塵芥案内板の後端部に塵芥積込装置の動作を緊急停止させるためのタッチセンサとを備えたものであることにより、第１および第２塵芥案内板を後方へ回動させた状態での作業中に塵芥積込装置の動作を緊急停止させたい場合には、第１塵芥案内板のタッチセンサに触れるだけで緊急停止させることが可能となる。
【発明を実施するための最良の形態】
【００１８】
図１は本発明の実施の形態における塵芥収集車の側面図、図２は塵芥投入箱の内部を示す側方断面図、図３は回転テーブル部分の拡大側面図、図４は回転テーブル部分の背面図、図５は塵芥投入口後方からみた斜視図、図６は図５のＡ矢視図であって、（ａ）は図３の位置（Ｂ）に回転テーブルを保持する場合を示す図、（ｂ）は図３の位置（Ｃ）に回転テーブルを保持する場合を示す図、（ｃ）は図３の位置（Ｄ）に回転テーブルを保持する場合を示す図である。
【００１９】
図１において、本発明の実施の形態における塵芥収集車１は、車体２上に、運転室３と、塵芥収容箱４と、塵芥投入箱５とが搭載されたものである。塵芥投入箱５は、塵芥収容箱４の後方開口部４ａの後端に回動可能に連接されている。また、塵芥投入箱５の後面には、矩形状の塵芥投入口５ａが設けられ、塵芥投入口５ａの下部には塵芥を塵芥投入口５ａへ案内する塵芥案内板としての回転テーブル７が設けられている。なお、回転テーブル７は塵芥投入口５ａを開閉する開閉扉（テールゲート）を兼ねている。
【００２０】
図２に示すように、この塵芥投入箱５には、塵芥投入口５ａから投入された塵芥を圧縮して塵芥収容箱４に積み込む塵芥積込装置８が設けられている。この塵芥積込装置８は、塵芥の圧縮および積込動作を行う圧縮板１０と、圧縮板１０を回動可能に支持するとともに上昇および下降する摺動板１１と、摺動板１１を上昇および降下させるための摺動シリンダ１２と、圧縮板１０を回動動作させる揺動シリンダ１３とを備えている。
【００２１】
圧縮板１０は塵芥投入箱５の左右に延び、揺動軸１４によって摺動板１１に軸支されている。また、揺動シリンダ１３の基端は圧縮板１０に軸支され、揺動シリンダ１３のシリンダロッド１３ａの上端は摺動板１１に軸支されている。すなわち、圧縮板１０は揺動シリンダ１３の伸縮に合わせて揺動軸１４を中心に揺動するように構成されている。
【００２２】
図３に示すように、塵芥投入箱５の塵芥投入口５ａの下縁部には、左右に延びるクロスフレーム９が設けられている。回転テーブル７は、このクロスフレーム９の上方に起伏切り換え可能に設けられている。クロスフレーム９の後方には、図５に示すように２対のテーブル支持部２０，２１が左右に間隔を空けて後方に突出するように設けられている。
【００２３】
図３に示すように、回転テーブル７は、塵芥投入口５ａの下部に設けられた回動軸３０ａに回動可能に支持された第１塵芥案内板３１と、この第１塵芥案内板３１の後端部の回動軸３０ｂに回動可能に支持された第２塵芥案内板３２とを備える。第２塵芥案内板３２は、第１塵芥案内板３１上で回動軸３０ｂを中心として１８０°転回するようになっている。また、第１塵芥案内板３１は、第２塵芥案内板３２を上面に回動させて折り畳んだ状態で塵芥投入口５ａ側へ回動させ、図３の格納位置（Ａ）に示す状態に折り畳むことが可能となっている。この格納位置（Ａ）の状態では、塵芥投入口５ａは回転テーブル７によって閉じられる。
【００２４】
また、この回転テーブル７の下面には、第１塵芥案内板３１を支持するダンパ３３を備えている。ダンパ３３の一端は第１塵芥案内板３１の下方に回動可能に支持され、他端はテーブル支持部２０に回動可能に支持されている。ダンパ３３はガスダンパよりなる。ダンパ３３は、回転テーブル７を開閉するための操作力を軽減するとともに、回転テーブル７が図３の格納位置（Ａ）の位置から使用位置（Ｂ），（Ｃ）および保守点検位置（Ｄ）まで切り換えられる際の衝撃を軽減する。
【００２５】
また、塵芥投入口５ａの左右周縁部には、図３の格納位置（Ａ）において回転テーブル７をロックするロック機構３４が設けられている。ロック機構３４は、垂直軸を中心に前後に揺動し、回転テーブル７の左右に設けられた押圧片７ａを背面側から押さえ込む押圧部３４ａと、この押圧部３４ａをロックするロック用ハンドル３４ｂとを備えている。
【００２６】
また、図３および図４に示すように塵芥投入口５ａの左右内側面には、図３の格納位置（Ａ）において回転テーブル７の第２塵芥案内板３２の前方側への揺動を規制するストッパ３５が設けられている。これにより、回転テーブル７が図３の格納位置（Ａ）に回動され、ロック機構３４によりロックされると、回転テーブル７の第２塵芥案内板３２の前方側への揺動がストッパ３５により規制されるので、この第２塵芥案内板３２が回動軸３０ｂを中心として前方側へ揺動するのが規制される。
【００２７】
また、本実施形態における塵芥収集車１には、緊急時に塵芥積込装置８の動作を停止させるための緊急停止装置（図示せず。）が備えられている。この緊急停止装置は、塵芥投入口５ａの下方に車幅方向に延びる棒状の緊急停止レバー３６により作動する。また、この緊急停止レバー３６は回転テーブル７の第２塵芥案内板３１が図３の使用位置（Ｂ），（Ｃ）および保守点検位置（Ｄ）に示すように後方へ転回されている際には回転テーブル７の後端部から遠く深い位置にあるため、第１塵芥案内板３１の下面の後端部にも緊急停止装置を作動させるためのタッチセンサ３７が設けられている。
【００２８】
テーブル支持部２０は、第１塵芥案内板３１を水平に保持するためのものであり、テーブル支持部２０の上面には緩衝材２２が設けられている。一方、テーブル支持部２１は、第１塵芥案内板３１をそれぞれ異なる角度に保持するための第１ストッパ２３ａおよび第２ストッパ２３ｂを備える。第１ストッパ２３ａは、緩衝材２２と、緩衝材２２を所定高さかつ所定角度に保持するベース２４ａとから構成される。同様に、第２ストッパ２３ｂは、緩衝材２２と、緩衝材２２を第１ストッパ２３ａとは異なる所定高さかつ所定角度に保持するベース２４ｂとから構成される。
【００２９】
図６に示すように、第１ストッパ２３ａは、テーブル支持部２１の右側面にヒンジ２５ａにより回動可能に支持されており、テーブル支持部２１の上面と右側面との間で回動させることができるようになっている。一方、第２ストッパ２３ｂは、テーブル支持部２１の左側面にヒンジ２５ｂにより回動可能に支持されており、テーブル支持部２１の上面と左側面との間で回動させることができるようになっている。
【００３０】
これにより、図６の（ａ）に示すように第１ストッパ２３ａがテーブル支持部２１の右側面に配置され、次いで第２ストッパ２３ｂがテーブル支持部２１の上面に配置された場合には、回転テーブル７は図３の使用位置（Ｂ）までしか回動せず、第２ストッパ２３ｂの緩衝材２２に接触した状態で保持される。このとき、回転テーブル７の角度は水平面に対して３０°である。
【００３１】
また、図６の（ｂ）に示すように第２ストッパ２３ｂがテーブル支持部２１の左側面に配置され、次いで第１ストッパ２３ａがテーブル支持部２１の上面に配置された場合には、回転テーブル７は図３の使用位置（Ｃ）までしか回動せず、第１ストッパ２３ａの緩衝材２２に接触した状態で保持される。このとき、回転テーブル７の角度は水平面に対して２０°である。
【００３２】
また、図６の（ｃ）に示すように第１ストッパ２３ａおよび第２ストッパ２３ｂがともにテーブル支持部２１のそれぞれ右側面および左側面に配置された場合には、回転テーブル７はテーブル支持部２０の緩衝材２２に接触し、回転テーブル７は図３の保守点検位置（Ｄ）までしか回動しない。これにより、回転テーブル７は水平状態に保持される。
【００３３】
上記構成の塵芥収集車１では、塵芥収容箱５に塵芥を収集するには、まず、ロック機構３４のロック用ハンドル３４ｂを上方に回動し、押圧部３４ａを後方に回動してロックを解除する。そして、使用位置（Ｂ）または（Ｃ）のいずれかを選択して第１ストッパ２３ａまたは第２ストッパ２３ｂのいずれかをテーブル支持部２１の上面に配置した状態で、回転テーブル７を後方に回動する。
【００３４】
これにより、回転テーブル７の第１塵芥案内板３１の下面が第１ストッパ２３ａまたは第２ストッパ２３ｂの緩衝材２２に当接し、使用位置（Ｂ）または（Ｃ）の角度に保持される。このとき、ダンパ３３の作用により緩衝材２２へ当接した際の衝撃が軽減される。そして、さらに回転テーブル７の面積を拡げたい場合には、第２塵芥案内板３２を後方に１８０°転回し、使用位置（Ｂ）または（Ｃ）の状態とする。
【００３５】
これにより、塵芥投入箱５の塵芥投入口５ａが開かれた状態となるとともに、回転テーブル７が塵芥案内板として機能するので、廃棄プラスチックなどの嵩のある塵芥を大量にショベルローダなどで一度に塵芥投入口５ａから投入する場合であっても、第１塵芥案内板３１および第２塵芥案内板３２により構成される大きな回転テーブル７上に一時的に載置し、回転テーブル７上を滑らせながら塵芥投入箱５内へ効率良く投入することができる。
【００３６】
そして、塵芥投入箱５内へ投入された塵芥は、塵芥積込装置８により塵芥収容箱５へ積み込む。積込作業は、まず、図２に示すように摺動シリンダ１２および揺動シリンダ１３がいずれも伸長して摺動板１１が上昇終了位置（最上位置）にある状態で、塵芥投入口５ａから塵芥を塵芥投入箱５内へ投入し、始動スイッチをオン操作する。
【００３７】
これにより、揺動シリンダ１３が縮退作動して圧縮板１０が反転作動し、反転終了位置に達する（反転工程）。この後、摺動シリンダ１２が縮退作動して摺動板１１が下降し、これに伴って圧縮板１０が下降工程に移行する。次に、圧縮板１０が下降終了位置に達すると、揺動シリンダ１３を伸長させて圧縮板１０を前方に揺動させ圧縮工程に移行する。
【００３８】
そして、圧縮板１０が最前方位置まで揺動すると、摺動シリンダ１２を伸長させて圧縮板１０を上昇させることによって上昇工程に移行し、この圧縮板１０が上昇終了位置に達すると、一連の積込動作を終了する。これにより、反転、下降、圧縮、上昇の各工程を１サイクルとして塵芥積込動作を繰り返して行うことができる。
【００３９】
積込作業終了後は、回転テーブル７の第２塵芥案内板３２を前方に１８０°転回して第１塵芥案内板３１の上面に折り畳んだ状態とし、この状態から第１塵芥案内板３２を前方に回動する。このとき、第２塵芥案内板３２がストッパ３５に当接し、回転テーブル７は図３の格納位置（Ａ）の状態となり、塵芥投入口５ａは閉じられる。そして、ロック機構３４のロック用ハンドル３４ｂを上方に回動し、押圧部３４ａを前方に回動して回転テーブル７の押圧片７ａを背面側から押さえ込み、ロック用ハンドル３４を下方に回動してロックする。
【００４０】
このように、本実施形態における塵芥収集車１では、塵芥投入口５ａの下部に回動可能に支持された第１塵芥案内板３１と、この第１塵芥案内板３１の後端部に回動可能に支持された第２塵芥案内板３２とを備え、第１塵芥案内板３１は、第２塵芥案内板３２を上面に回動させて折り畳んだ状態で塵芥投入口５ａ側へ回動させて折り畳み可能としたことにより、廃棄プラスチックなどの嵩のある塵芥を大量にショベルローダなどで一度に投入する場合であっても、第１塵芥案内板３１および第２塵芥案内板３２により構成される大きな回転テーブル７上に一時的に載置し、塵芥投入口５ａへの塵芥投入作業を効率良く行うことが可能である。
【００４１】
そして、塵芥収集後は、第２塵芥案内板３２を第１塵芥案内板３１の上面に回動させて折り畳んだ状態とし、次いで第１塵芥案内板３１を塵芥投入口５ａ側へ回動させて折り畳むことにより、第１塵芥案内板３１および第２塵芥案内板３２は塵芥投入口５ａの低い位置で収納することができるので、この第１塵芥案内板３１および第２塵芥案内板３２の収納作業は容易である。特に、この塵芥収集車１では、第１塵芥案内板３１を支持するダンパ３３を備えているので、回転テーブル７を回動させる際の操作力が軽減されており、また、回動時の衝撃も軽減されている。
【００４２】
また、この塵芥収集車１では、第１塵芥案内板３１の傾斜角度をそれぞれ異なる角度に保持する第１ストッパ２３ａおよび第２のストッパ２３ｂを備えているので、塵芥の投入状況に応じて第１のストッパ２３ａまたは第２のストッパ２３ｂを使用し、回転テーブル７の傾斜角度を適切に保持して、この保持した傾斜角度で回転テーブル７上に塵芥を一時的に載置し、塵芥投入箱５内へ効率良く投入することが可能となる。
【００４３】
特に、この塵芥収集車１では、第１ストッパ２３ａおよび第２のストッパ２３ｂが、第１塵芥案内板３１の下方に固定されたテーブル支持部２１の上面と側方との間で交互に回動可能に支持されており、第１ストッパ２３ａおよび第２のストッパ２３ｂをテーブル支持部２１の上面に交互に回動させるだけで、回転テーブル７の傾斜角度を容易に切り替えることが可能であり、作業性に優れている。
【００４４】
また、この塵芥収集車１では、大きな回転テーブル７が塵芥投入口５ａを開閉する開閉扉を兼ねているので、塵芥投入口５ａに別の開閉扉を設ける必要がなく、別の開閉扉を開閉する手間が省けるとともに、別の開閉扉を設けるコストが不要となる。
【産業上の利用可能性】
【００４５】
本発明の塵芥収集車は、大量の塵芥を一度に投入することが可能な塵芥収集車として有用である。
【図面の簡単な説明】
【００４６】
【図１】本発明の実施の形態における塵芥収集車の側面図である。
【図２】塵芥投入箱の内部を示す側方断面図である。
【図３】回転テーブル部分の拡大断面図である。
【図４】回転テーブル部分の背面図である。
【図５】塵芥投入口後方からみた斜視図である。
【図６】図５のＡ矢視図であって、（ａ）は図３の使用位置（Ｂ）に回転テーブルを保持する場合を示す図、（ｂ）は図３の使用位置（Ｃ）に回転テーブルを保持する場合を示す図、（ｃ）は図３の保守点検位置（Ｄ）に回転テーブルを保持する場合を示す図である。
【符号の説明】
【００４７】
１  塵芥収集車
２  車体
３  運転室
４  塵芥収容箱
４ａ  後方開口部
５  塵芥投入箱
５ａ  塵芥投入口
７  回転テーブル
８  塵芥積込装置
９  クロスフレーム
１０  圧縮板
１１  摺動板
１２  摺動シリンダ
１３  揺動シリンダ
１３ａ  シリンダロッド
１４  揺動軸
２０，２１  テーブル支持部
２２  緩衝材
２３ａ  第１ストッパ
２３ｂ  第２ストッパ
２４ａ，２４ｂ  ベース
２５ａ，２５ｂ  ヒンジ
３０ａ，３０ｂ  回動軸
３１  第１塵芥案内板
３２  第２塵芥案内板
３３  ダンパ
３４  ロック機構
３４ａ  押圧部
３４ｂ  ロックハンドル
３５  ストッパ
３６  緊急停止レバー
【図１】
2010083594.tif 000003
【図２】
2010083594.tif 000004
【図３】
2010083594.tif 000005
【図４】
2010083594.tif 000006
【図５】
2010083594.tif 000007
【図６】
2010083594.tif 000008